(57)【要約】【課題】受信制御カードを容易に取り扱うことができるようにする。【解決手段】リモコン１３５に対して電源ＯＮの操作が行われると、デジタルＴＶ１００において、受信制御カード１３０からカードＩＤが読み出され、カードＩＤ記憶部１０９に記憶される。デジタルＴＶ１００では、受信制御カード１３０からカードＩＤを読み出し、読み出したカードＩＤがカードＩＤ記憶部１０９に記憶されているカードＩＤと一致するか否かを例えば所定周期で判断し、デジタルＴＶ１００のモードを、一致する場合には通常使用モード、一致しない場合には一時使用モードと判定する。リモコン１３５に対して電源ＯＦＦの操作が行われると、モードが判定され、一時使用モードであれば、受信制御カード１３０を戻すことを促すメッセージを表示部１０８に表示させる。【選択図】図１
2010136284.tif 000002
【特許請求の範囲】
【請求項１】
受信したデジタル放送信号のスクランブル処理を、着脱可能な受信制御カードに記憶されるスクランブル鍵を用いて解除する放送受信装置であって、
ユーザ操作を受け付ける操作受け付け手段と、
装着されている受信制御カードに記憶された識別情報を読み出す読み出し手段と、
前記操作受け付け手段に対する所定のユーザ操作に応じて前記読み出し手段が読み出した前記識別情報を記憶する記憶手段と、
前記受信制御カードから前記読み出し手段により識別情報を読み出して、該受信制御カードから読み出した該識別情報と、前記記憶手段に記憶された識別情報とを比較し、比較結果に基づき、該受信制御カードが前記記憶手段に識別情報が記憶された時点から変更されたか否かを判定する判定手段と、
前記判定手段により前記受信制御カードが前記変更されたと判定された場合、前記デジタル放送信号による番組の視聴終了時に、変更前の受信制御カードに戻すことを促すメッセージを出力する出力手段と
を有する
ことを特徴とする放送受信装置。
【請求項２】
前記識別情報は、前記受信制御カードに対して設定された、視聴可能なサービスまたはチャンネルを示す情報である
ことを特徴とする請求項１に記載の放送受信装置。
【請求項３】
前記判定手段は、前記比較の結果、前記記憶手段に記憶された前記識別情報で視聴不可とされるサービスまたはチャンネルが、前記読み出し手段で前記受信制御カードから読み出した識別情報にて視聴可能となっている場合に、前記受信制御カードが変更されたと判断する
ことを特徴とする請求項２に記載の放送受信装置。
【請求項４】
前記判定手段は、前記比較の結果、前記読み出し手段で前記受信制御カードから読み出した前記識別情報が示す前記視聴可能なサービスまたはチャンネルが、前記記憶手段に記憶された該識別情報に対して増加した場合に、前記受信制御カードが変更されたと判定する
ことを特徴とする請求項２に記載の放送受信装置。
【請求項５】
前記識別情報は、前記受信制御カードを識別するための識別情報であって、前記比較の結果、前記記憶手段に記憶された識別情報と、前記読み出し手段で前記受信制御カードから読み出した識別情報とが異なっている場合に、前記受信制御カードが変更されたと判定する
ことを特徴とする請求項１に記載の放送受信装置。
【請求項６】
前記出力手段は、
前記操作受け付け手段に対して前記放送受信装置の電源ＯＦＦを指示する操作が行われたら前記視聴終了時であると判断して、前記メッセージを出力する
ことを特徴とする請求項１乃至請求項５の何れか１項に記載の放送受信装置。
【請求項７】
前記出力手段は、
前記受信制御カードに記憶された前記スクランブル鍵による前記スクランブル処理の解除が必要な番組から該スクランブル処理の解除が不要な番組への切り換え操作が、前記操作受け付け手段に対して行われたら前記視聴終了時であると判断して、前記メッセージを出力する
ことを特徴とする請求項１乃至請求項６の何れか１項に記載の放送受信装置。
【請求項８】
前記出力手段は、
前記受信制御カードに記憶された前記スクランブル鍵による前記スクランブル処理の解除が必要な番組が終了したことを検出したら前記視聴終了時であると判断して、前記メッセージを出力する
ことを特徴とする請求項１乃至請求項７の何れか１項に記載の放送受信装置。
【請求項９】
前記所定のユーザ操作は、前記放送受信装置の電源ＯＮを指示する操作である
ことを特徴とする請求項１乃至請求項８の何れか１項に記載の放送受信装置。
【請求項１０】
前記所定のユーザ操作は、前記受信制御カードの登録を指示する操作である
ことを特徴とする請求項１乃至請求項８の何れか１項に記載の放送受信装置。
【請求項１１】
受信したデジタル放送信号のスクランブル処理を、着脱可能な受信制御カードに記憶されるスクランブル鍵を用いて解除する放送受信装置の情報表示方法であって、
装着されている受信制御カードに記憶された識別情報を読み出す読み出しステップと、
ユーザ操作を受け付ける操作受け付け手段に対する所定のユーザ操作に応じて前記読み出しステップが読み出した前記識別情報を記憶手段に記憶する記憶ステップと、
前記受信制御カードから前記読み出しステップにより識別情報を読み出して、該受信制御カードから読み出した該識別情報と、前記記憶手段に記憶された識別情報とを比較し、比較結果に基づき、該受信制御カードが前記記憶手段に識別情報が記憶された時点から変更されたか否かを判定する判定ステップと、
前記判定ステップにより前記受信制御カードが前記変更されたと判定された場合、前記デジタル放送信号による番組の視聴終了時に、変更前の受信制御カードに戻すことを促すメッセージを出力する出力ステップと
を有する
ことを特徴とする情報表示方法。
【発明の詳細な説明】
【技術分野】
【０００１】
本発明は、放送受信装置および放送受信装置の情報表示方法に関し、特には、ＩＣカードを用いて放送番組の視聴制御を行う放送受信装置およびその放送受信装置での情報表示方法に関する。
【背景技術】
【０００２】
地上デジタル放送といったデジタルＴＶ放送では、情報の記憶や書き換えが可能とされたＩＣカードを用いて、放送番組の著作権保護や有料放送番組の視聴制限を行なう仕組みが導入されている。デジタルＴＶ放送を受信するデジタルテレビジョン（以下、デジタルＴＶと略称する）には、このようなＩＣカードを挿入するためのスロットを実装する必要があり、当該ＩＣカードが挿入されていなければ、視聴制限が行なわれる。以下、この放送番組の著作権保護や有料放送番組の視聴制限のために用いられるＩＣカードを、受信制御カードと称する。
【０００３】
受信制御カードには、カードを識別するための識別情報（カードＩＤと呼ぶ）と、契約されている有料放送の情報とが記憶される。有料放送を視聴する際の放送事業者との契約は、カードＩＤを用いて行われる。また、一般的には、デジタルＴＶ毎に異なるカードＩＤを有する受信制御カードが付属されて販売される。一例として、デジタルＴＶ＃１は、付属された、カードＩＤ＃１を有する受信制御カード＃１を挿入して使用する。同様に、デジタルＴＶ＃２は、付属された、カードＩＤ＃２を有する受信制御カード＃２を挿入して使用する。
【０００４】
これにより、デジタルＴＶ＃１に挿入された受信制御カード＃１で有料放送の契約を行った場合、当該有料放送番組をデジタルＴＶ＃１で視聴するためには、当該受信制御カード＃１が必要となる。また、当該受信制御カード＃１をデジタルＴＶ＃２に挿入することで、ユーザは、デジタルＴＶ＃２により当該有料放送を視聴することができる。
【０００５】
このように、受信制御カード＃１を使用してデジタルＴＶ＃２で当該有料放送番組を視聴した場合、視聴終了に際して、受信制御カード＃１をデジタルＴＶ＃２から抜き取り、デジタルＴＶ＃１に挿入する（戻す）必要がある。しかしながら、このような放送番組視聴後の操作は、ユーザにとって忘れがちであり、当該有料放送番組を、本来の登録機器であるデジタルＴＶ＃１で次に視聴をしようとした場合、受信制御カード＃１が無いために視聴ができないおそれがある。
【０００６】
特許文献１には、ドライバの車両降車時にＩＣカードの抜き取り忘れを防止するＥＴＣ用車載器が開示されている。特許文献１の技術をデジタルＴＶに適用することで、ユーザがデジタルＴＶの電源をＯＦＦにする際に、ＩＣカードの抜き取り忘れの警報を発することが可能となる。
【０００７】
【特許文献１】特開２００２−２３０６０１号公報
【発明の開示】
【発明が解決しようとする課題】
【０００８】
上述した特許文献１では、ＩＣカードは、ユーザが常時携帯していることを想定したものであり、抜き取り忘れに対して警告を行うことは、有効であると考える。しかしながら、受信制御カードの場合、常態ではデジタルＴＶに挿入されていると考えられ、この場合、特許文献１の技術では、受信制御カードの戻し忘れを防ぐことができないという問題点があった。
【０００９】
したがって、本発明は、受信制御カードを他の受信制御カードに変更した後の受信制御カードの戻し忘れを防ぐことができる放送受信装置および放送受信装置の情報表示方法を提供することにある。
【課題を解決するための手段】
【００１０】
上述した課題を解決するために、本発明は、受信したデジタル放送信号のスクランブル処理を、着脱可能な受信制御カードに記憶されるスクランブル鍵を用いて解除する放送受信装置であって、ユーザ操作を受け付ける操作受け付け手段と、装着されている受信制御カードに記憶された識別情報を読み出す読み出し手段と、操作受け付け手段に対する所定のユーザ操作に応じて読み出し手段が読み出した識別情報を記憶する記憶手段と、受信制御カードから読み出し手段により識別情報を読み出して、受信制御カードから読み出した識別情報と、記憶手段に記憶された識別情報とを比較し、比較結果に基づき、受信制御カードが記憶手段に識別情報が記憶された時点から変更されたか否かを判定する判定手段と、判定手段により受信制御カードが変更されたと判定された場合に、判定手段により受信制御カードが変更されたと判定された場合、デジタル放送信号による番組の視聴終了時に、変更前の受信制御カードに戻すことを促すメッセージを出力する出力手段とを有することを特徴とする放送受信装置である。
【００１１】
また、本発明は、受信したデジタル放送信号のスクランブル処理を、着脱可能な受信制御カードに記憶されるスクランブル鍵を用いて解除する放送受信装置の情報表示方法であって、装着されている受信制御カードに記憶された識別情報を読み出す読み出しステップと、ユーザ操作を受け付ける操作受け付け手段に対する所定のユーザ操作に応じて読み出しステップが読み出した識別情報を記憶手段に記憶する記憶ステップと、受信制御カードから読み出しステップにより識別情報を読み出して、受信制御カードから読み出した識別情報と、記憶手段に記憶された識別情報とを比較し、比較結果に基づき、受信制御カードが記憶手段に識別情報が記憶された時点から変更されたか否かを判定する判定ステップと、判定ステップにより受信制御カードが変更されたと判定された場合、デジタル放送信号による番組の視聴終了時に、変更前の受信制御カードに戻すことを促すメッセージを出力する出力ステップとを有することを特徴とする情報表示方法である。
【発明の効果】
【００１２】
本発明は、上述の構成を有するため、受信制御カードを他の受信制御カードに変更した後の受信制御カードの戻し忘れを防ぐことができる。
【発明を実施するための最良の形態】
【００１３】
＜第１の実施形態＞
以下、本発明の第１の実施形態を、図面を参照しながら説明する。図１は、本発明の第１の実施形態を適用可能なデジタルＴＶ１００の一例の構成を示す。
【００１４】
図１の例では、デジタルＴＶ１００において、チューナ部１０２、ＴＳデータ処理部１０３、デスクランブル処理部１０５、デコード処理部１０６および出力処理部１０７が、バス１２１に対して接続される。また、カードＩ／Ｆ部１０４、カードＩＤ記憶部１０９およびリモコン信号受信部１１０、ならびに、制御部１２０が、バス１２１に対してさらに接続される。バス１２１に接続される各部は、バス１２１を介して互いにデータのやりとりが可能とされている。
【００１５】
制御部１２０は、例えばＣＰＵ、ＲＯＭおよびＲＡＭを有し、ＣＰＵは、ＲＯＭに予め記憶されたプログラムに従い、ＲＡＭをワークメモリとして用いて、このデジタルＴＶ１００全体の動作を制御する。出力手段としての制御部１２０は、プログラムに従い、所定の表示を後述する表示部１０８に表示させるための表示制御信号を生成することもできる。
【００１６】
読み出し手段としてのカードＩ／Ｆ部１０４は、ＩＣカードからなる受信制御カード１３０が着脱可能な構造とされ、受信制御カード１３０を挿入して当該受信制御カード１３０と通信を行うためのスロットを有する。カードＩ／Ｆ部１０４は、スロットに挿入された受信制御カード１３０とデータ通信を行い、受信制御カード１３０に記憶されたデータの読み出しを行う。受信制御カード１３０は、メモリ機能を持つＩＣチップを内部に有し、カードの識別情報であるカードＩＤとデスクランブル鍵とが予め記憶される。受信制御カード１３０は、カードＩＤにより識別される。また、受信制御カード１３０は、有料放送サービスに契約した場合に、当該有料放送サービスの契約期間や視聴可能な番組の種類などの情報が記憶される。
【００１７】
操作受け付け手段としてのリモートコントロールコマンダ１３５（以下、リモコン１３５と略称する）は、複数の操作子が設けられ、操作子に対する操作に応じて発生されるコマンドを赤外線信号に変調して送信する。リモコン信号受信部１１０は、この赤外線信号を受信して復調し、コマンドを取り出して制御部１２０に供給する。これにより、デジタルＴＶ１００は、リモコン１３５に対する操作に応じた動作を行うことが可能となる。
【００１８】
リモコン１３５を用いて、デジタルＴＶ１００の電源のＯＮ／ＯＦＦを行うことができる。なお、リモコン１３５を用いて行う電源ＯＦＦは、例えばデジタルＴＶ１００の状態を放送番組を受信可能な状態から、待機状態に移行させるものである。
【００１９】
待機状態では、例えば制御部１２０、リモコン信号受信部１１０およびバス１２１など、リモコン１３５からの電源ＯＮを指示する赤外線信号を受信し、放送番組が受信可能となるための必要最小限の部分にのみ電源を供給するように制御される。待機状態においてリモコン１３５に対して電源ＯＮの操作がなされると、当該操作に応じた電源ＯＮコマンドが赤外線信号に変調されてリモコン１３５から送信される。この赤外線信号は、デジタルＴＶ１００のリモコン信号受信部１１０で受信されて復調され、電源ＯＮコマンドが取り出される。この電源ＯＮコマンドが制御部１２０に供給される。制御部１２０は、この電源ＯＮコマンドに応じて、デジタルＴＶ１００の各部を、放送番組の受信を可能とする所定の状態になるように制御する。
【００２０】
なお、デジタルＴＶ１００に対する電源の供給をＯＮ／ＯＦＦするための電源スイッチは、例えば、別途、デジタルＴＶ１００本体に対して設けられる。
【００２１】
次に、デジタルＴＶ１００の放送受信装置としての基本的な動作の例を説明する。デジタル放送信号がアンテナ１０１に受信され、チューナ部１０２で復調され、映像データ、音声データおよび補助データが多重化されたトランスポートストリーム（ＴＳ）に変換され、ＴＳデータ処理部１０３に供給される。ＴＳデータ処理部１０３は、トランスポートストリームから、多重化された映像データ、音声データおよび補助データを分離し、それぞれ映像、音声および補助データのエレメンタリストリームとする。エレメンタリストリームによっては、ＭＵＬＴＩ２方式でスクランブルされているため、デスクランブル処理を行なう必要がある。
【００２２】
ＴＳデータ処理部１０３は、受信制御カードＩ／Ｆ部１０４を通じて受信制御カード１３０から取得したデスクランブル鍵を、デスクランブル処理部１０５に設定する。ＴＳデータ処理部１０３から出力された映像および音声のエレメンタリストリームは、デスクランブル処理部１０５でスクランブル処理を解除されてデコード処理部１０６に供給され、デコードされる。
【００２３】
デコード処理部１０６でデコードされた映像データは、出力処理部１０７に送られ、出力処理部１０７により表示部１０８で表示される。このとき、出力処理部１０７は、デコード処理部１０６から供給された映像データによる映像に対して、所定の表示を行うために制御部１２０で生成された表示制御信号による表示を合成させて、表示部１０８に表示させることができる。これに限らず、出力処理部１０７は、当該表示制御信号による表示を単独で、表示部１０８に表示させることができる。
【００２４】
また、デコード処理部１０６でデコードされた音声データは、音声出力処理部に送られ、音声出力部より音声として出力される（図示しない）。
【００２５】
なお、図１では、表示部１０８がデジタルＴＶ１００に含まれるように示されているが、これはこの例に限られず、表示部１０８は、このデジタルＴＶ１００の外部に接続される構成であってもよい。
【００２６】
次に、本発明の第１の実施形態によるデジタルＴＶ１００の動作について説明する。図２は、本第１の実施形態による、デジタルＴＶ１００の電源ＯＮ時の一例の処理動作を示すフローチャートである。
【００２７】
先ず、ユーザーが、デジタルＴＶ１００の電源をＯＮにするように、リモコン１３５を操作する。リモコン１３５は、この操作に応じて電源ＯＮコマンドを赤外線信号に変調して送信する。デジタルＴＶ１００は、この赤外線信号をリモコン信号受信部１１０で受信し（ステップＳ２０１）、受信されたこの赤外線信号を復調して電源ＯＮコマンドを取り出し、制御部１２０に供給する。
【００２８】
制御部１２０は、受信された電源ＯＮコマンドに応じて、デジタルＴＶ１００の各部に電源を供給するように図示されない電源部を制御する。それと共に、制御部１２０は、電源ＯＮコマンドの受信に応じて、スロットに挿入されている受信制御カード１３０のカードＩＤを、カードＩ／Ｆ部１０４を通じて読み出す（ステップＳ２０２）。そして、デジタルＴＶ１００は、制御部１２０の制御により、ステップＳ２０２で読み出した受信制御カード１３０のカードＩＤを、記憶手段としてのカードＩＤ記憶部１０９に記憶する（ステップＳ２０３）。
【００２９】
本発明の第１の実施形態においては、デジタルＴＶ１００における受信制御カード１３０の使用に関して、通常使用モードおよび一時使用モードの２つのモードを定義する。図３は、本第１の実施形態による、デジタルＴＶ１００における一例のモード判別動作を示すフローチャートである。デジタルＴＶ１００において、制御部１２０は、スロットに挿入されている受信制御カード１３０のカードＩＤを、カードＩ／Ｆ部１０４を通じて読み出す（ステップＳ３０１）。
【００３０】
次のステップＳ３０２で、判定手段としての制御部１２０は、ステップＳ３０１で受信制御カード１３０から読み出したカードＩＤと、カードＩＤ記憶部１０９に記憶されているカードＩＤとを比較する。そして、ステップＳ３０３で、ステップＳ３０２での判断の結果、これら受信制御カード１３０から読み出したカードＩＤと、カードＩＤ記憶部１０９に記憶されているカードＩＤとが一致しているか否かが判断される。
【００３１】
若し、両者のカードＩＤが一致していると判断されたら、処理はステップＳ３０４に移行され、デジタルＴＶ１００が通常使用モードであると判定する。一方、両者のカードＩＤが不一致であると判断されたら、処理はステップＳ３０５に移行され、デジタルＴＶ１００が一時使用モードと判定する。モードの判定結果を示す情報は、例えば制御部１２０が有するＲＡＭやレジスタに記憶される。
【００３２】
ここで、デジタルＴＶ１００は、図３のフローチャートで示した処理を周期的に行うように構成される。これにより、受信制御カード１３０が交換されると直ちに、現在のモードが通常使用モードおよび一時使用モードの何れであるかを正しく判定することが可能となっている。処理の周期は、数分またはそれ以下といった比較的短い時間に設定すると、モード判定を略リアルタイムに行うことができ好ましい。これに限らず、受信制御カード１３０の挿入および取り外しを、機械的スイッチや電気的スイッチによって検出し、挿入および取り外しが検出された際に、図３に示した処理を行う構成としてもよい。
【００３３】
図４は、本第１の実施形態によるデジタルＴＶ１００の電源ＯＦＦ時の一例の動作を示すフローチャートである。先ず、ユーザーが、デジタルＴＶ１００の電源をＯＦＦとするように、リモコン１３５を操作する。リモコン１３５は、この操作に応じてデジタルＴＶ１００の電源をＯＦＦとするためのコマンドを赤外線信号に変調して送信する。デジタルＴＶ１００は、この赤外線信号をリモコン信号受信部１１０で受信して復調し、電源ＯＦＦコマンドを取り出して、制御部１２０に供給する（ステップＳ４０１）。
【００３４】
ステップＳ４０１で電源ＯＦＦコマンドが制御部１２０に受け取られると、処理はステップＳ４０２に移行し、現在のモードが通常使用モードおよび一時使用モードの何れであるかが判断される。例えば、制御部１２０は、上述した図３のフローチャートの処理により得られたモードの判定結果をＲＡＭやレジスタから読み出して、現在のモードの判断を行う。
【００３５】
若し、ステップＳ４０２で現在のモードが通常使用モードであると判断されたら、処理はステップＳ４０４に移行され、制御部１２０により、デジタルＴＶ１００の電源をＯＦＦにする制御が行われる。
【００３６】
一方、ステップＳ４０２で現在のモードが一時使用モードであると判断されたら、処理はステップＳ４０３に移行され、表示部１０８に対して受信制御カード１３０の交換を促す情報表示が行われる。一例として、制御部１２０は、現在のモードが一時使用モードであると判断されたら、例えば「受信制御カードを変更前のカードに戻してください」といった、受信制御カード１３０の交換を促すメッセージを表示させるための表示制御信号を生成する。すなわち、一時使用モードでは、受信制御カード１３０が電源ＯＮ時から変更されたと考えることができる。この表示制御信号は、出力処理部１０７に供給され、表示部１０８に対して当該メッセージが表示される。
【００３７】
なお、この受信制御カード１３０の交換を促すメッセージは、テキストによる表示に限らず、アイコンやアニメーションを用いて表示させてもよい。また、メッセージは、表示部１０８への表示に限らず、音声により通知することも可能である。一例として、制御部１２０は、音声情報記憶部（図示しない）に予め記憶された、受信制御カード１３０の交換を促す音声メッセージを出力するための音声データを、音声出力処理部（図示しない）に送る。音声出力処理部は、この音声データに基づき音声信号を生成し、スピーカなどによる音声出力部より出力させる。音声データは、制御部１２０において生成してもよい。
【００３８】
表示部１０８に対する受信制御カード１３０の交換を促す表示の後、処理がステップＳ４０４に移行され、電源ＯＦＦの制御が行われる。
【００３９】
本第１の実施形態による動作を、図５を用いてより具体的に説明する。図５の例では、家屋２００の部屋２０１Ａ（居間）、部屋２０１Ｂ（寝室）および部屋２０１Ｃ（子供部屋）に対し、上述したデジタルＴＶ１００と同様の構成によるデジタルＴＶ＃１、＃２および＃３がそれぞれ設置されている。また、初期状態として、デジタルＴＶ＃１、＃２および＃３に対し、受信制御カード１３０Ａ、１３０Ｂおよび１３０Ｃがそれぞれ挿入されているものとする。受信制御カード１３０Ａは、有料放送番組に対する契約情報が記憶され、受信制御カード１３０Ｂは、有料放送番組に対する契約情報が記憶されていないものとする。
【００４０】
図５において、ユーザが、デジタルＴＶ＃２に受信制御カード１３０Ｂが挿入された状態で、リモコン１３５によりデジタルＴＶ＃２の電源をＯＮにする。電源ＯＮに伴い、デジタルＴＶ＃２において上述した図２のフローチャートによる処理が実行され、挿入された受信制御カード１３０ＢのカードＩＤが読み出されてデジタルＴＶ＃２のカードＩＤ記憶部１０９に記憶される。
【００４１】
ここで、ユーザが受信制御カード１３０Ａで契約を行なった有料放送番組を視聴するために、受信制御カード１３０Ａをデジタル＃２のスロットに挿入する場合について考える。デジタルＴＶ＃２では、上述した図３のフローチャートの処理によりモード判定が行われる。この場合、デジタルＴＶ＃２の電源ＯＮ時にカードＩＤ記憶部１０９に記憶されたカードＩＤが受信制御カード１３０Ｂのものであり、現在デジタルＴＶ＃２に挿入されているカードＩＤが受信制御カード１３０Ａのものである。そのため、図３のステップＳ３０２の判断においてカードＩＤが不一致と判断され、デジタルＴＶ＃２の現在のモードが一時使用モードと判定される。
【００４２】
この状態で、ユーザがデジタルＴＶ＃２での有料放送番組の視聴を終了し、リモコン１３５を操作してデジタルＴＶ＃２の電源をＯＦＦする。電源がＯＦＦとされると、デジタルＴＶ＃２において上述した図４のフローチャートによる処理が実行される。上述したように、デジタルＴＶ＃２の現在のモードが一時使用モードであるので、ステップＳ４０２の判断により処理がステップＳ４０３に移行され、デジタルＴＶ＃２の表示部１０８に対して受信制御カード交換を促すメッセージが表示される。このメッセージは、一定時間の間、表示される。このメッセージにより、ユーザは、受信制御カード１３０ＡをデジタルＴＶ＃１に戻すことが思い起こされ、受信制御カードの交換忘れを防止することができる。
【００４３】
また、別の例として、ユーザがデジタルＴＶ＃２により、有料放送番組ではない、受信制御カードを用いての契約が不要な通常番組の視聴を行う場合について考える。この場合、デジタルＴＶ＃２に対して受信制御カード１３０Ｂを挿入したまま、通常番組の視聴を行うことができる。したがって、図３のステップＳ３０２の判断においてカードＩＤが一致すると判断され、デジタルＴＶ＃２の現在のモードが通常使用モードと判定される。
【００４４】
この状態で、ユーザがデジタルＴＶ＃２での通常番組の視聴を終了し、リモコン１３５を操作してデジタルＴＶ＃２の電源をＯＦＦする。図４のフローチャートのステップＳ４０２において通常使用モードと判定され、表示部１０８に対して受信制御カード１３０の交換を促すメッセージの表示を行うことなく、電源がＯＦＦされる。不要なメッセージが表示されることがないため、ユーザは、煩わしさを感ずることがない。
【００４５】
なお、上述では、受信制御カード交換を促すメッセージ表示が、ユーザの電源ＯＦＦ操作に応じて行われるように説明したが、これはこの例に限定されない。すなわち、受信制御カードの交換を促すメッセージ表示は、現在挿入されている受信制御カード１３０による放送番組の視聴終了時に行うようにすればよい。上述の例では、ユーザにより電源ＯＦＦ操作が行われたことで、放送番組の視聴終了時であると判断している。また、例えば、ユーザが有料放送番組から通常番組に選局を行なった場合や、有料放送番組が終了し通常番組になったような場合も視聴終了時であると判断して図４と同様な処理を実行し、必要に応じて受信制御カード交換を促すメッセージを表示することもできる。有料放送番組の終了は、例えばデジタル放送信号に含まれる補助データを解析することで検出することができる。
【００４６】
また、上述では、デジタルＴＶ１００の電源ＯＮ／ＯＦＦをリモコン１３５の操作により行ったが、これはこの例に限定されない。例えば、デジタルＴＶ１００の本体に設けられる、デジタルＴＶ１００に対する電源の供給をＯＮ／ＯＦＦするためのスイッチの操作に応じて、同様の処理を行うことができる。
【００４７】
＜第２の実施形態＞
次に、本発明の第２の実施形態について説明する。本第２の実施形態は、受信制御カードに記憶される情報に基づき、放送番組のサービス（チャンネル）毎に視聴の可否を記憶するようにしている。図６は、本発明の第２の実施形態を適用可能なデジタルＴＶ３００の一例の構成を示す。なお、図６において、上述した図１と共通する部分には同一の符号を付し、詳細な説明を省略する。図６に例示するデジタルＴＶ３００は、上述した図１のデジタルＴＶ１００に対して視聴可能チャンネル（ＣＨ）記憶部１１１が追加されている。
【００４８】
また、デジタルＴＶ３００および受信制御カード１３０は、所定のサービス（チャンネル：ＣＨ）と、番組の契約情報とを、カードＩ／Ｆ部１０４を通じて受信制御カード１３０からデジタルＴＶ３００が取得可能に構成されている。なお、以下では、番組の契約情報は、当該番組の視聴が可能か不可か示す視聴可否情報であるものとする。
【００４９】
図７は、本第２の実施形態による、デジタルＴＶ３００の電源ＯＮ時の一例の処理動作を示すフローチャートである。
【００５０】
まず、ユーザーがデジタルＴＶ３００の電源をＯＮにするように、リモコン１３５を操作する。リモコン１３５は、この操作に応じて、電源ＯＮコマンドを赤外線信号に変調して送信する。デジタルＴＶ３００は、この赤外線信号をリモコン信号受信部１１０で受信し（ステップＳ６０１）、受信されたこの赤外線信号を復調して電源ＯＮコマンドを取り出し、制御部１２０に供給する。
【００５１】
制御部１２０は、受信された電源ＯＮコマンドに応じて、デジタルＴＶ３００の各部に電源を供給するように図示されない電源部を制御する。それと共に、制御部１２０は、電源ＯＮコマンドの受信に応じて、スロットに挿入されている受信制御カード１３０から、カードＩ／Ｆ部１０４を通じて、サービスの契約情報（視聴可否情報）をチャンネル毎に読み出す（ステップＳ６０２）。
【００５２】
次のステップＳ６０３で、ステップＳ６０２で読み出した１チャンネル分の契約情報すなわち視聴可否情報を、サービスと共に視聴可能ＣＨ記憶部１１１に記憶する（ステップＳ６０３）。ステップＳ６０２およびステップＳ６０３の処理は、全サービス分（すなわち全チャンネル分）、行われる（ステップＳ６０４）。
【００５３】
図８は、本第２の実施形態による、デジタルＴＶ３００における一例のモード判別動作を示すフローチャートである。デジタルＴＶ３００は、スロットに挿入されている受信制御カード１３０から、カードＩ／Ｆ部１０４を通じて、サービスの視聴可否情報を読み出す（ステップＳ７０１）。全サービスについて、ステップＳ７０１の読み出し処理が終了したら（ステップＳ７０２）、処理はステップＳ７０３に移行される。
【００５４】
ステップＳ７０３では、ステップＳ７０１で受信制御カード１３０から読み出した視聴可否情報と、視聴可能ＣＨ記憶部１１１に記憶される契約情報すなわち視聴可否情報とを、サービス毎に比較する。
【００５５】
比較の結果、若し、受信制御カード１３０から読み出した視聴可否情報が視聴可能を示し、視聴可能ＣＨ記憶部１１１に記憶された、対応する視聴可否情報が視聴不可を示すサービスがあったら、処理はステップＳ７０５に移行される。そして、デジタルＴＶ３００のモードが一時使用モードと判定される。すなわち、これは、デジタルＴＶ３００に電源ＯＮ時に挿入されていた受信制御カード１３０では視聴不可で、受信制御カード１３０の交換などにより視聴可能となったサービスが存在することを意味する。
【００５６】
一方、ステップＳ７０３の比較の結果、受信制御カード１３０から読み出した視聴可否情報が視聴可能を示し、視聴可能ＣＨ記憶部１１１に記憶された、対応する視聴可否情報が視聴不可を示すサービスが無かったら、処理はステップＳ７０４に移行される。そして、デジタルＴＶ３００のモードが通常使用モードと判定される。モードの判定結果を示す情報は、例えば制御部１２０が有するＲＡＭやレジスタに記憶される。
【００５７】
ここで、デジタルＴＶ３００は、図８のフローチャートで示した処理を周期的に行うように構成される。これにより、受信制御カード１３０が交換されると直ちに、現在のモードが通常使用モードあるいは一時使用モードの何れであるかを正しく判定することが可能となっている。これに限らず、受信制御カード１３０の挿入および取り外しを、機械的スイッチや電気的スイッチによって検出し、挿入および取り外しが検出された際に、図８に示したの処理を行う構成としてもよい。
【００５８】
なお、本第２の実施形態において、デジタルＴＶ３００のリモコン１３５の操作による電源ＯＦＦ時の動作は、図４を用いて説明した実施の第１の形態と同一であるので、ここでの説明を省略する。
【００５９】
また、上述では、ステップＳ７０３による比較処理において、視聴不可のサービスが視聴可能となっていた場合に、デジタルＴＶ３００が一時使用モードであると判定したが、これはこの例に限定されない。例えば、ステップＳ７０１で受信制御カード１３０から読み出した視聴可否情報に示される視聴可能なサービス数が、視聴可能ＣＨ記憶部１１１に視聴可否情報が記憶された時点から増加している場合に、一時使用モードであると判定することができる。
【００６０】
本第２の実施形態による動作を、上述の図５を用いてより具体的に説明する。なお、ここでは、図５におけるデジタルＴＶ＃１、＃２および＃３は、それぞれ本第２の実施形態によるデジタルＴＶ３００の構成を有するものとする。
【００６１】
図５において、ユーザが、デジタルＴＶ＃２に受信制御カード１３０Ｂが挿入された状態で、リモコン１３５によりデジタルＴＶ＃２の電源をＯＮにする。ここでは、受信制御カード１３０Ｂでは、如何なるサービスの契約も行っていないものとする。換言すれば、受信制御カード１３０Ｂでは、有料放送番組の視聴を行えない。
【００６２】
デジタルＴＶ＃２は、リモコン１３５により電源がＯＮにされると、上述した図７のフローチャートによる処理を行い、受信制御カード１３０Ｂからサービスの視聴可否情報を読み出して視聴可能ＣＨ記憶部１１１に記憶する。図９は、このときの視聴可能ＣＨ記憶部１１１の記憶内容の一例を示す。図９によれば、デジタルＴＶ＃２は、サービス＃１〜＃５が受信可能で、これらのうちサービス＃１、＃２および＃４が無料放送（通常放送）、サービス＃３および＃５が有料放送であることが示される。そして、受信制御カード１３０Ｂでは、有料放送であるサービス＃３および＃５は、共に視聴不可であることが示される。
【００６３】
ここで、ユーザが受信制御カード１３０Ａで契約を行なった有料放送番組をデジタルＴＶ＃２で視聴するために、受信制御カード１３０ＡをデジタルＴＶ＃２のスロットに挿入する場合について考える。ここでは、受信制御カード１３０Ａでは、図１０に例示されるように、有料放送であるサービス＃３および＃５のうち、サービス＃５の視聴契約を行なっているものとする。受信制御カード１３０Ａが挿入されることで、デジタルＴＶ＃２は、有料放送であるサービス＃３および＃５のうち、サービス＃５の視聴が可能になる。
【００６４】
デジタルＴＶ＃２において、カードＩ／Ｆ部１０４に対して受信制御カード１３０Ａが挿入されると、上述した図８のフローチャートによる処理が実行される。
【００６５】
図８のステップＳ７０１およびステップＳ７０２で、デジタルＴＶ＃２は、挿入された受信制御カード１３０Ａから、各サービスの視聴可否情報を読み出す。そして、ステップＳ７０３で、読み出した視聴可否情報と、視聴可能ＣＨ記憶部１１１に記憶された視聴可否情報とを比較する。その結果、デジタルＴＶ＃２の電源ＯＮ当初は視聴不可能であったサービス＃５が、受信制御カード１３０Ａの挿入により視聴可能となっているため、デジタルＴＶ＃２のモードが一時使用モードであると判定する（ステップＳ７０５）。
【００６６】
この状態で、ユーザがデジタルＴＶ＃２で例えば有料放送番組の視聴を終了しリモコン１３５を操作して電源をＯＦＦすると、デジタルＴＶ＃２は、図４のフローチャートによる処理を実行する。その結果、ステップＳ４０２で一時使用モードであると判定され、表示部１０８に対して受信制御カード交換を促すメッセージを表示する。このメッセージは、一定時間の間、表示される。このメッセージにより、ユーザは、受信制御カード１３０ＡをデジタルＴＶ＃１に戻すことが思い起こされ、受信制御カードの交換忘れを防止することができる。
【００６７】
また、別の例として、ユーザがデジタルＴＶ＃２により、有料放送番組ではない、受信制御カードを用いての契約が不要な通常番組の視聴を行う場合について考える。この場合、デジタルＴＶ＃２に対して受信制御カード１３０Ｂを挿入したまま、通常番組の視聴を行うことができる。デジタルＴＶ＃２は、図８のステップＳ７０３の比較結果に基づき、デジタルＴＶ＃２の電源ＯＮ当初は視聴不可能であって、現在は視聴可能となったサービスが無いと判断され、モードが通常使用モードであると判定される。
【００６８】
この状態で、ユーザがデジタルＴＶ＃２での通常番組の視聴を終了し、リモコン１３５を操作してデジタルＴＶ＃２の電源をＯＦＦする。図４のフローチャートのステップＳ４０２において通常使用モードと判定され、表示部１０８に対して受信制御カード１３０の効果を促すメッセージの表示を行うことなく、電源がＯＦＦされる。不要なメッセージが表示されることがないため、ユーザは、煩わしさを感ずることがない。
【００６９】
なお、上述のステップＳ７０３の処理において、受信制御カード１３０から読み取った視聴可否情報と、視聴可能ＣＨ記憶部１１１に記憶された視聴可否情報とを比較した結果、視聴可能なサービスが増加した場合に一時使用モードと判定するようにしてもよい。この場合、視聴可能なサービスが増加していなければ、通常使用モードと判断される。
【００７０】
次に、本第２の実施形態による動作の別の例を、上述の図５を用いて説明する。なお、ここでは、図５におけるデジタルＴＶ＃１、＃２および＃３は、それぞれ本第２の実施形態によるデジタルＴＶ３００の構成を有するものとする。上述と同様に、受信制御カード１３０Ａに記憶される視聴可否情報は、図１０の通りであり、サービス＃３および＃５の有料放送番組のうち、サービス＃５が視聴可能とされている。また、受信制御カード１３０Ｂに記憶される視聴可否情報は、図９の通りであり、サービス＃３および＃５の有料放送番組は、共に視聴不可とされている。
【００７１】
図５において、ユーザが、デジタルＴＶ＃１に受信制御カード１３０Ａが挿入された状態で、リモコン１３５によりデジタルＴＶ＃１の電源をＯＮにする。デジタルＴＶ＃１は、電源がＯＮにされると、上述した図７のフローチャートによる処理を行い、受信制御カード１３０Ａからサービス毎の視聴可否情報を読み出して視聴可能ＣＨ記憶部１１１に記憶する。
【００７２】
ここで、ユーザが受信制御カード１３０Ａで契約を行なった有料放送番組をデジタルＴＶ＃２で視聴する場合について考える。ここでは、受信制御カード１３０Ａを、デジタルＴＶ＃２のスロットに挿入し、代わりに、受信制御カード１３０ＢをデジタルＴＶ＃１のスロットに挿入するものとする。
【００７３】
デジタルＴＶ＃１において、カードＩ／Ｆ部１０４を通じて受信制御カード１３０Ｂが挿入されると、上述した図８のフローチャートによりモード判定処理が実行される。図８のステップＳ７０１およびステップＳ７０２で、デジタルＴＶ＃１は、挿入された受信制御カード１３０Ｂから、各サービスの視聴可否情報を読み出す。そして、ステップＳ７０３で、受信制御カード１３０Ｂから読み出した視聴可否情報と、視聴可能ＣＨ記憶部１１１に記憶された視聴可能情報とを比較する。その結果、デジタルＴＶ＃１の電源ＯＮ当初に視聴不可であって、受信制御カード１３０Ｂが挿入されることで視聴可能となったサービスが無いため、デジタルＴＶ＃１が通常使用モードであると判定する（ステップＳ７０４）。
【００７４】
この状態で、ユーザが例えばデジタルＴＶ＃１での番組の視聴を終了しリモコン１３５を操作して電源をＯＦＦする。図４のフローチャートのステップＳ４０２において通常使用モードと判定され、表示部１０８に対して受信制御カード１３０の効果を促すメッセージの表示を行うことなく、電源がＯＦＦされる。
【００７５】
ここでは、ユーザが受信制御カード１３０Ａにより契約を行った友邦放送番組をデジタルＴＶ＃２で視聴するために、デジタルＴＶ＃１とデジタルＴＶ＃２とで受信制御カードの交換を行っている。そのため、デジタルＴＶ＃２での番組の視聴が終了していない時点では、デジタルＴＶ＃１から受信制御カード１３０Ｂを取り外す必要が無い。このような場合においても、デジタルＴＶ＃１において不要なメッセージが表示されることがないため、ユーザは、煩わしさを感ずることがない。
【００７６】
＜第３の実施形態＞
次に、本発明の第３の実施形態について説明する。本第３の実施形態では、デジタルＴＶが通常使用する受信制御カード１３０を登録するようにしている。なお、本第３の実施形態では、図１を用いて説明した第１の実施形態によるデジタルＴＶ１００をそのまま適用できる。
【００７７】
図１１は、本第３の実施形態による、デジタルＴＶ１００で通常使用する受信制御カード１３０を登録する一例の処理を示すフローチャートである。なお、デジタルＴＶ１００の電源は、この図１１のフローチャートの処理に先立って、リモコン１３５によりＯＮにされているものとする。
【００７８】
先ず、ユーザが、リモコン１３５に対して、現在デジタルＴＶ１００に挿入されている受信制御カード１３０を通常使用するカードとして登録するよう操作を行う。リモコン１３５は、この操作に応じて、通常使用する受信制御カード１３０の登録を要求する登録要求コマンドを赤外線信号に変調して送信する。デジタルＴＶ１００は、この赤外線信号をリモコン信号受信部１１０で受信し（ステップＳ１００１）、受信されたこの赤外線信号を復調して登録要求コマンドを取り出して、制御部１２０に供給する。
【００７９】
制御部１２０は、登録要求コマンドの受信に応じて、スロットに挿入されている受信制御カード１３０のカードＩＤを、カードＩ／Ｆ部１０４を通じて読み出す（ステップＳ１００２）。
【００８０】
次のステップＳ１００３で、デジタルＴＶ１００は、受信制御カードの登録画面を表示部１０８に対して表示する。例えば、制御部１２０は、ステップＳ１００１で受信制御カード１３０から読み出したカードＩＤと、このカードＩＤの受信制御カード１３０を通常使用するカードとして登録してよいか否かを確認するメッセージとを表示するための表示制御信号を生成する。この表示制御信号は、出力処理部１０７に供給され、表示部１０８に対して当該表示がなされる。
【００８１】
リモコン１３５は、ユーザ操作により受信制御カード１３０の登録を行うか否かを選択するように構成されている。例えば、ユーザがリモコン１３５に対して受信制御カード１３０の登録を要求する操作を行うと、リモコン１３５は、この操作に応じて登録許可コマンドを生成し、赤外線信号に変調して送信する。デジタルＴＶ１００は、この赤外線信号に変調されたリモコン信号受信部１１０で受信し、復調して登録許可コマンドを取り出す。デジタルＴＶ１００は、受信したコマンドが登録許可コマンドであると判断すると（ステップＳ１００４）、処理をステップＳ１００５に移行させ、受信制御カード１３０から読み出したカードＩＤをカードＩＤ記憶部１０９に記憶する。
【００８２】
なお、ユーザが、リモコン１３５に対する操作により、受信制御カード１３０の、通常使用するカードとしての登録を行わないことを選択した場合には、ステップＳ１００５によるカードＩＤのカードＩＤ記憶部１０９への記憶を行わずに、一連の処理が終了する。
【００８３】
図１２は、本第３の実施形態による、デジタルＴＶ１００の電源ＯＦＦ時の一例の動作を示すフローチャートである。先ず、ユーザーが、デジタルＴＶ１００の電源をＯＦＦとするように、リモコン１３５を操作する。リモコン１３５は、この操作に応じてデジタルＴＶ１００の電源をＯＦＦとするための電源ＯＦＦコマンドを赤外線信号に変調して送信する。デジタルＴＶ１００は、この赤外線信号をリモコン信号受信部１１０で受信して復調し、電源ＯＦＦコマンドを取り出して、制御部１２０に供給する（ステップＳ１１０１）。
【００８４】
ステップＳ１１０１で電源ＯＦＦコマンドが制御部１２０に受け取られると、処理はステップＳ１１０２に移行され、スロットに挿入されている受信制御カード１３０のカードＩＤが、カードＩ／Ｆ部１０４を通じて読み出される。
【００８５】
次に、ステップＳ１１０３で、デジタルＴＶ１００により、ステップＳ１１０２で受信制御カード１３０から読み出したカードＩＤと、カードＩＤ記憶部１０９に記憶されているカードＩＤとを比較する。比較の結果、若し、受信制御カード１３０から読み出したカードＩＤと、カードＩＤ記憶部１０９に記憶されているカードＩＤとが一致していたら、処理はステップＳ１１０５に移行される。ステップＳ１１０５では、電源ＯＦＦコマンドに従い、制御部１２０により、デジタルＴＶ１００の電源をＯＦＦにする処理が行われる。
【００８６】
一方、ステップＳ１１０３での比較の結果、受信制御カード１３０から読み出したカードＩＤと、カードＩＤ記憶部１０９に記憶されているカードＩＤとが一致していなかったら、処理はステップＳ１１０４に移行される。そして、受信制御カード１３０の交換を促す表示が表示部１０８に表示される。この表示が一定時間行われると、処理はステップＳ１１０５に移行され、電源ＯＦＦコマンドに従いデジタルＴＶ１００の電源ＯＦＦの処理が行われる。
【００８７】
本第３の実施形態による動作を、上述した図５を用いてより具体的に説明する。図５において、ユーザは、例えばデジタルＴＶ＃１に対して付属の受信制御カード１３０Ａを挿入した状態で、図１１を用いて説明した、受信制御カード１３０Ａを通常使用するカードとするための登録処理を行う。その結果、カードＩＤ記憶部１０９に対して、受信制御カード１３０ＡのカードＩＤが記憶される。同様に、ユーザは、例えばデジタルＴＶ＃２に対して付属の受信制御カード１３０Ｂを挿入した状態で、受信制御カード１３０Ｂの通常使用するカードとしての登録処理を行う。そして、デジタルＴＶ＃２のカードＩＤ記憶部１０９に対して、受信制御カード１３０ＢのカードＩＤを記憶させる。
【００８８】
ここで、ユーザが受信制御カード１３０Ａにより契約を行なった有料放送番組をデジタルＴＶ＃２で視聴するために、受信制御カード１３０ＡをデジタルＴＶ＃２のスロットに挿入するものとする。
【００８９】
この状態で、ユーザがデジタルＴＶ＃２での有料放送番組の視聴を終了し、リモコン１３５を操作してデジタルＴＶ＃２の電源をＯＦＦする。すると、図１２を用いて説明した処理により、デジタルＴＶ＃２に現在挿入されている受信制御カード１３０ＡのカードＩＤが読み出され（ステップＳ１１０２）、カードＩＤ記憶部１０９に記憶されているカードＩＤと比較される（ステップＳ１１０３）。この例の場合、カードＩＤ記憶部１０９には、図１１を用いて説明した通常使用する受信制御カードの登録処理により、受信制御カード１３０ＢのカードＩＤが記憶されているため、カードＩＤが不一致であると判断される。そのため、ステップＳ１１０４により、受信制御カードの交換を促すメッセージが表示部１０８に表示される。このメッセージにより、ユーザは、受信制御カード１３０ＡをデジタルＴＶ＃１に戻すことが思い起こされ、受信制御カードの交換忘れを防止することができる。
【００９０】
また、別の例として、ユーザがデジタルＴＶ＃２により、有料放送番組ではない、受信制御カードを用いての契約が不要な通常番組の視聴を行う場合について考える。この場合、デジタルＴＶ＃２に対して受信制御カード１３０Ｂを挿入したまま、通常番組の視聴を行うことができる。
【００９１】
この状態で、ユーザがデジタルＴＶ＃２での通常番組の視聴を終了し、リモコン１３５を操作してデジタルＴＶ＃２の電源をＯＦＦする。図１２のフローチャートのステップＳ１１０３の判断においてカードＩＤが一致すると判断され、表示部１０８に対して受信制御カード１３０Ｂの交換を促すメッセージの表示を行うことなく、電源がＯＦＦされる。不要なメッセージが表示されることがないため、ユーザは、煩わしさを感ずることがない。
【００９２】
なお、ここでは、本第３の実施形態による、通常使用する受信制御カードの登録処理を、上述した第１の実施形態による構成に適用した例について説明したが、これはこの例に限定されるものではない。例えば、本第３の実施形態による処理を、上述した第２の実施形態による構成に適用することも可能である。この場合、図１２のステップＳ１１０２に対して図８のステップＳ７０１およびステップＳ７０２の処理を適用し、図１２のステップＳ１１０３に対して図８のステップＳ７０３の処理を適用させることが考えられる。
【００９３】
＜他の実施形態＞
上述の各実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００９４】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。
【００９５】
上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００９６】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。
【００９７】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【００９８】
つまり、上述の実施形態を実現するためのプログラムファイルをクライアントコンピュータに提供するサーバ装置も本発明の一つである。
【００９９】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【０１００】
また、上述の実施形態を実現するためのコンピュータプログラムは、すでにコンピュータ上で稼働するＯＳの機能を利用するものであってもよい。
【０１０１】
さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１０２】
【図１】本発明の第１の実施形態を適用可能なデジタルＴＶ１００の一例の構成を示すブロック図である。
【図２】本発明の第１の実施形態による、デジタルＴＶの電源ＯＮ時の一例の処理動作を示すフローチャートである。
【図３】本発明の第１の実施形態による、デジタルＴＶにおける一例のモード判別動作を示すフローチャートである。
【図４】本発明の第１の実施形態によるデジタルＴＶ１００の電源オフ時の一例の動作を示すフローチャートである。
【図５】本発明による動作を説明する目の図である。
【図６】本発明の第２の実施形態を適用可能なデジタルＴＶの一例の構成を示すブロック図である。
【図７】本発明の第２の実施形態による、デジタルＴＶの電源ＯＮ時の一例の処理動作を示すフローチャートである。
【図８】本第２の実施形態による、デジタルＴＶにおける一例のモード判別動作を示すフローチャートである。
【図９】視聴可能ＣＨ記憶部の記憶内容の一例を示す図である。
【図１０】受信制御カードに記憶される情報の一例を示す図である。
【図１１】本発明の第３の実施形態による、デジタルＴＶで通常使用する受信制御カードを登録する一例の処理を示すフローチャートである。
【図１２】本発明の第３の実施形態による、デジタルＴＶの電源オフ時の一例の動作を示すフローチャートである。
【符号の説明】
【０１０３】
１００，３００  デジタルＴＶ
１０２  チューナ部
１０４  カードＩ／Ｆ部
１０５  スクランブル処理部
１０７  出力処理部
１０８  表示部
１０９  カードＩＤ記憶部
１１０  リモコン信号受信部
１２０  制御部
１３０  受信制御カード
１３５  リモコン
【図１】
2010136284.tif 000003
【図２】
2010136284.tif 000004
【図３】
2010136284.tif 000005
【図４】
2010136284.tif 000006
【図５】
2010136284.tif 000007
【図６】
2010136284.tif 000008
【図７】
2010136284.tif 000009
【図８】
2010136284.tif 000010
【図９】
2010136284.tif 000011
【図１０】
2010136284.tif 000012
【図１１】
2010136284.tif 000013
【図１２】
2010136284.tif 000014